(57)【要約】【課題】トナーユニットをトナー特性の改善されたものに替えた場合に、そのトナーの特性を発揮させた高品質の画像の形成を可能にする。【解決手段】トナーユニットに搭載した不揮発性メモリ２０に、トナーユニットに内蔵するトナーの特性に適したディザパターン、γ特性および色変換テーブルのうちの少なくとも一つに関する情報をトナー適合情報２１として予め格納しておき、前記不揮発性メモリから前記トナー適合情報を読み出し、このトナー適合情報に基づいた画像処理を画像データに施す。【選択図】図１
2008105233.tif 000002
【特許請求の範囲】
【請求項１】
内蔵するトナーの特性に適したディザパターン、γ特性および色変換テーブルのうちの少なくとも一つに関する情報がトナー適合情報として格納された不揮発性メモリを搭載したトナーユニットと、
前記不揮発性メモリから前記トナー適合情報を読み出し、このトナー適合情報に基づいた画像処理を画像データに施す画像処理手段と、
前記画像処理手段により画像処理された画像データに従って印刷画像を形成する画像形成手段と、
を有することを特徴とする画像形成装置。
【請求項２】
前記トナー適合情報とは異なる画像生成情報がデフォルト情報として格納された記憶手段をさらに有し、
前記トナー適合情報が得られない場合、前記画像処理手段は、前記デフォルト情報を読み出し、このデフォルト情報に基づいた画像処理を画像データに施す、
ことを特徴とする請求項１に記載の画像形成装置。
【請求項３】
前記トナーユニットに搭載した前記不揮発性メモリに当該トナーユニットの使用開始日時を書き込む手段をさらに有し、
前記使用開始日時から現在日時までの経過時間が、トナーの有効期間に対応する一定期間を超過したと判断された場合、前記画像処理手段は、前記デフォルト情報を読み出し、このデフォルト情報に基づいた画像処理を画像データに施す、
ことを特徴とする請求項２に記載の画像形成装置。
【請求項４】
前記デフォルト情報が、ディザパターン、γ特性および色変換テーブルのうちの少なくとも一つに関する情報である、ことを特徴とする請求項２または３に記載の画像形成装置。
【請求項５】
前記デフォルト情報が、前記トナー適合情報を使用した場合よりも低い解像度となる情報である、
ことを特徴とする請求項２または３に記載の画像形成装置。
【請求項６】
前記デフォルト情報が、前記トナー適合情報を使用した場合よりも中間調の生成を行う中間調レベル数を少なくした画像生成情報である、
ことを特徴とする請求項２または３に記載の画像形成装置。
【請求項７】
前記デフォルト情報が、中間調の生成を行わない画像生成情報である、
ことを特徴とする請求項２または３に記載の画像形成装置。
【請求項８】
トナーユニットがトナー無し状態になったことを検出するトナー無し検出手段と、
前記トナー無し検出手段によりトナー無し状態が検出されたとき、前記不揮発性メモリに格納されている前記トナー適合情報を消去する消去手段と、をさらに有する、
ことを特徴とする請求項１ないし７のいずれかに記載の画像形成装置。
【請求項９】
トナーユニットに搭載した不揮発性メモリから、トナーユニットに内蔵するトナーの特性に適したディザパターン、γ特性および色変換テーブルのうちの少なくとも一つに関する情報を有するトナー適合情報を読み出し、読み出した前記トナー適合情報に基づいた画像処理を画像データに施す画像処理ステップと、
前記画像処理された画像データに従って印刷画像を形成する画像形成ステップと、
を有することを特徴とする画像形成方法。
【請求項１０】
前記トナー適合情報が得られない場合、前記画像処理ステップにおいて、前記トナー適合情報とは異なる画像生成情報がデフォルト情報として格納された記憶手段から当該デフォルト情報が読み出され、このデフォルト情報に基づいた画像処理が画像データに施される、
ことを特徴とする請求項９に記載の画像形成方法。
【請求項１１】
トナーユニットに搭載した不揮発性メモリから、トナーユニットに内蔵するトナーの特性に適したディザパターン、γ特性および色変換テーブルのうちの少なくとも一つに関する情報を有するトナー適合情報を読み出し、読み出した前記トナー適合情報に基づいた画像処理を画像データに施す画像処理手順と、
前記画像処理された画像データに従って印刷画像を形成する画像形成手順と、
をコンピュータに実行させることを特徴とする画像形成プログラム。
【請求項１２】
前記トナー適合情報が得られない場合、前記画像処理手順において、前記トナー適合情報とは異なる画像生成情報がデフォルト情報として格納された記憶手段から当該デフォルト情報が読み出され、このデフォルト情報に基づいた画像処理が画像データに施される、
ことを特徴とする請求項１１に記載の画像形成プログラム。
【請求項１３】
請求項１１または１２に記載の画像形成プログラムを記録したコンピュータ読み取り可能な記録媒体。
【請求項１４】
内蔵するトナーの特性に適したディザパターンまたはγ特性または色変換テーブルのうちの少なくとも一つに関する情報がトナー適合情報として格納された不揮発性メモリを搭載したことを特徴とするトナーユニット。
【発明の詳細な説明】
【技術分野】
【０００１】
本発明は、画像形成装置、画像形成方法、画像形成プログラムおよびトナーユニットに関する。
【背景技術】
【０００２】
プリンタ等の画像形成装置において、トナーボトルやトナーカートリッジ等のトナーユニットは消耗部品であり、トナーがなくなると新品のトナーユニットと交換する必要がある。トナーユニットの交換に際しては、当該プリンタの製造会社が提供しているもの（純正品）が使用されれば、そのトナーでの高い印字品質や信頼性が保証される。しかし、純正品を模倣して製造された他社製のトナーユニット（非純正品）が使用された場合には、そのような高い印字品質は保証されず、却って印字品質や信頼性の低下を招き、プリンタの故障等のトラブルを引き起こす恐れがあった。
【０００３】
そこで、このトナーユニットに何らかの情報を持たせることが従来行われている。例えば、下記の特許文献１においては、カートリッジ内に純正品かどうかの識別情報を暗号化して格納し、この識別情報を復号して純正品かどうかの判断を行なう。
【０００４】
しかし、純正品かどうかの識別だけでは、トナーの特性を十分に発揮させることができない。トナーユニットに納められているトナーは、粒子径の微小化など、年々その特性に改良が加えられ、画像品質の向上が図られている。この特性の改善されたトナーは、ほとんどが、プリンタの本体装置が市場に出た後で、それから遅れてトナーユニットの形で市場に現れる。つまり従来のプリンタは、このトナー特性の改良進歩に追従できる手段を持たない。この結果、既に所有するプリンタにおいて、最新のトナーユニットを用いているにも拘わらず、そのトナーの特性を十分に発揮させた高品質な画像を形成することができなかった。
【特許文献１】特開２００２−１２７５５０号公報
【発明の開示】
【発明が解決しようとする課題】
【０００５】
本発明は上記従来技術の有する問題点に鑑みなされたものであり、その目的とするところは、トナーユニットをトナー特性の改善されたものに替えた場合に、そのトナー特性を発揮させて高品質の画像の形成ができる画像形成装置、画像形成方法、画像形成プログラムおよびトナーユニットを提供することにある。
【課題を解決するための手段】
【０００６】
本発明の上記目的は、下記の手段によって達成される。
【０００７】
（１）内蔵するトナーの特性に適したディザパターン、γ特性および色変換テーブルのうちの少なくとも一つに関する情報がトナー適合情報として格納された不揮発性メモリを搭載したトナーユニットと、前記不揮発性メモリから前記トナー適合情報を読み出し、このトナー適合情報に基づいた画像処理を画像データに施す画像処理手段と、前記画像処理手段により画像処理された画像データに従って印刷画像を形成する画像形成手段と、を有することを特徴とする画像形成装置。
【０００８】
（２）前記トナー適合情報とは異なる画像生成情報がデフォルト情報として格納された記憶手段をさらに有し、前記トナー適合情報が得られない場合、前記画像処理手段は、前記デフォルト情報を読み出し、このデフォルト情報に基づいた画像処理を画像データに施す、ことを特徴とする（１）に記載の画像形成装置。
【０００９】
（３）前記トナーユニットに搭載した前記不揮発性メモリに当該トナーユニットの使用開始日時を書き込む手段をさらに有し、前記使用開始日時から現在日時までの経過時間が、トナーの有効期間に対応する一定期間を超過したと判断された場合、前記画像処理手段は、前記デフォルト情報を読み出し、このデフォルト情報に基づいた画像処理を画像データに施す、ことを特徴とする（２）に記載の画像形成装置。
【００１０】
（４）前記デフォルト情報が、ディザパターン、γ特性および色変換テーブルのうちの少なくとも一つに関する情報である、ことを特徴とする（２）または（３）に記載の画像形成装置。
【００１１】
（５）前記デフォルト情報が、前記トナー適合情報を使用した場合よりも低い解像度となる情報である、ことを特徴とする（２）または（３）に記載の画像形成装置。
【００１２】
（６）前記デフォルト情報が、前記トナー適合情報を使用した場合よりも中間調の生成を行う中間調レベル数を少なくした画像生成情報である、ことを特徴とする（２）または（３）に記載の画像形成装置。
【００１３】
（７）前記デフォルト情報が、中間調の生成を行わない画像生成情報である、ことを特徴とする（２）または（３）に記載の画像形成装置。
【００１４】
（８）トナーユニットがトナー無し状態になったことを検出するトナー無し検出手段と、前記トナー無し検出手段によりトナー無し状態が検出されたとき、前記不揮発性メモリに格納されている前記トナー適合情報を消去する消去手段と、をさらに有する、ことを特徴とする請求項（１）ないし（７）のいずれかに記載の画像形成装置。
【００１５】
（９）トナーユニットに搭載した不揮発性メモリから、トナーユニットに内蔵するトナーの特性に適したディザパターン、γ特性および色変換テーブルのうちの少なくとも一つに関する情報を有するトナー適合情報を読み出し、読み出した前記トナー適合情報に基づいた画像処理を画像データに施す画像処理ステップと、前記画像処理された画像データに従って印刷画像を形成する画像形成ステップと、を有することを特徴とする画像形成方法。
【００１６】
（１０）前記トナー適合情報が得られない場合、前記画像処理ステップにおいて、前記トナー適合情報とは異なる画像生成情報がデフォルト情報として格納された記憶手段から当該デフォルト情報が読み出され、このデフォルト情報に基づいた画像処理が画像データに施される、ことを特徴とする（９）に記載の画像形成方法。
【００１７】
（１１）トナーユニットに搭載した不揮発性メモリから、トナーユニットに内蔵するトナーの特性に適したディザパターン、γ特性および色変換テーブルのうちの少なくとも一つに関する情報を有するトナー適合情報を読み出し、読み出した前記トナー適合情報に基づいた画像処理を画像データに施す画像処理手順と、前記画像処理された画像データに従って印刷画像を形成する画像形成手順と、をコンピュータに実行させることを特徴とする画像形成プログラム。
【００１８】
（１２）前記トナー適合情報が得られない場合、前記画像処理手順において、前記トナー適合情報とは異なる画像生成情報がデフォルト情報として格納された記憶手段から当該デフォルト情報が読み出され、このデフォルト情報に基づいた画像処理が画像データに施される、ことを特徴とする（１１）に記載の画像形成プログラム。
【００１９】
（１３）上記（１１）または（１２）に記載の画像形成プログラムを記録したコンピュータ読み取り可能な記録媒体。
【００２０】
（１４）内蔵するトナーの特性に適したディザパターンまたはγ特性または色変換テーブルのうちの少なくとも一つに関する情報がトナー適合情報として格納された不揮発性メモリを搭載したことを特徴とするトナーユニット。
【発明の効果】
【００２１】
本発明によれば、画像形成装置を市場に出した後にトナー製造プロセスが変更され、トナーの粒子径の微小化など、そのトナー特性に改良が加えられた場合でも、そのトナーの特性に適したディザパターン、γ特性および色変換テーブルの少なくとも一つに関するトナー適合情報を、トナーユニットの不揮発性メモリから読み取り、画像データに施される画像処理に用いるので、トナー特性にマッチした画像の生成が可能である。
【発明を実施するための最良の形態】
【００２２】
以下、本発明の実施の形態を、図面を参照して詳細に説明する。
【００２３】
図１は、本発明の実施形態にかかる画像形成装置を備えた印刷システムの全体構成を示すブロック図である。図１に示すように、本実施形態にかかる印刷システムは、画像形成装置としてのプリンタ１と、印刷ジョブ送信装置としてのＰＣ（パーソナルコンピュータ）２とを備え、これらはネットワーク３を介して相互に通信可能に接続されている。なお、ネットワーク３に接続される機器の種類および台数は、図１に示す例に限定されない。また、ＰＣ２は、ネットワーク３を介することなく、プリンタ１と直接機器間で接続（ローカル接続）されていてもよい。
【００２４】
図２は、本実施形態にかかるプリンタ１の構成を示すブロック図である。図２に示すように、プリンタ１は、ＣＰＵ１１、ＲＯＭ１２、ＲＡＭ１３、操作パネル部１４、印刷部１５、およびネットワークインタフェース１６を備えており、これらは信号をやり取りするためのバス１７を介して相互に接続されている。
【００２５】
ＣＰＵ１１は、プログラムにしたがって上記各部の制御や各種の演算処理等を行う。ＲＯＭ１２は、プリンタ１の基本動作を制御する各種プログラムやパラメータを格納する。ＲＡＭ１３は、作業領域として一時的にプログラムやデータを記憶する。
【００２６】
操作パネル部１４は、各種情報が表示されるタッチパネル、コピー枚数等を設定するテンキー、動作の開始を指示するスタートキー、動作の停止を指示するストップキー、各種設定条件を初期化するリセットキー等を備えている。
【００２７】
印刷部１５は、電子写真方式により画像データを用紙に印刷する。図３は、プリンタ１の印刷部１５の構造を説明するための図である。
【００２８】
図３に示すように、印刷部１５は、矢印方向に回転する感光体ドラム４１の周囲に、帯電装置４２、露光装置４３、現像装置４４、中間転写ベルト４５、および清掃装置４６がそれぞれ配置されて構成されており、ＣＭＹＫの４つの色成分（以下、単に「色」という場合がある。）の画像を重ね合せてカラー画像を形成することができる。
【００２９】
帯電装置４２により一様に帯電された感光体ドラム４１の表面に、露光装置４３よりレーザ光が照射されて、画像データに基づく静電潜像が作成される。静電潜像は感光体ドラム４１の回転に伴い、現像装置４４と対向する位置まで搬送される。
【００３０】
現像装置４４は、回転体を４回転させる間に各色の像を形成する４回転型の現像装置４４からなる。トナー容器４７と現像ローラ４８を一体的に備えたトナーカートリッジ１９が、シアン（Ｃ）、マゼンタ（Ｍ）、イエロー（Ｙ）、ブラック（Ｋ）の各色ごとに用意され、回転軸の周りに回転可能に配設した構成となっている。この各色用のトナーカートリッジ１９は、現像装置４４の回転により、順次感光体ドラム表面に対向する位置に持って来られる。
【００３１】
まず上記トナーカートリッジ１９により顕像化された１色目のトナー画像は、第１の転写部４９にて中間転写ベルト４５上に転移され、感光体ドラム４１上の転写残留トナーは清掃装置４６により取り除かれる。
【００３２】
再び、感光体ドラム４１は、帯電、現像、転写、清掃工程を経て、２色目画像が形成され、中間転写ベルト４５上へ像が重ね合わせられる。
【００３３】
同様の工程で４色ＣＭＹＫの画像が中間転写ベルト４５に作像され、給紙カセット５０から給紙ローラ５１により送り出された転写紙５２へ、第２の転写部５３にて４色共に転写される。転写紙５２はそのまま定着装置５４を経て印刷部１５外へ搬送される。
【００３４】
図２に略示するように、上記した各色ＣＭＹＫのトナーカートリッジ１９には、不揮発性の記憶素子（不揮発性メモリ）２０が、外部から読み書き可能な取り付け形態で搭載される。また、ＲＯＭ１２内には、デフォルト情報３０の記憶手段となる格納領域が設けられる。
【００３５】
図４は、トナーカートリッジ１９に搭載した上述の不揮発性メモリ２０と、これに関連するプログラムとしてＲＯＭ１２内に格納されている機能部との関係を示したものである。
【００３６】
上記したトナーカートリッジ１９の不揮発性メモリ２０には、内蔵するトナーの特性に適したディザパターン、γ特性および色変換テーブルのうちの少なくとも一つに関する情報がトナー適合情報２１として格納されている。
【００３７】
ここで「ディザパターン」とは、濃淡画像の階調を再現する２値化の閾値マトリクスである。また「γ特性」とは、トナーの持つ記録濃度特性を直接または間接に表したものをいい、前者としてはレーザーの発光時間とトナーの付着量との関係を記述した補正前のγ曲線（図１３参照）のデータの例があり、また後者としては、入力された値を変換して線形性の記録濃度特性が得られるようにするためのテーブル（γ変換テーブル（図１８参照））の例がある。また「色変換テーブル」とは、モニタ色空間（ＲＧＢ）からプリンタ色空間（ＣＭＹＫ）へ変換を行なうＣＭＭ（Ｃｏｌｏｒ  Ｍａｎａｇｅｍｅｎｔ  Ｍｏｄｕｌｅ）変換情報である。
【００３８】
これらの画像生成に関わる情報については、ノウハウを伴うものであるので、内容は暗号化されて格納される。この処理を行うため、ＲＯＭ１２内のプログラムとして、情報書き込み処理部２４、およびその指示を受けて動作する暗号化処理部２５が設けられる。この暗号化処理部２５は、情報書き込み処理部２４からの指示に基づいて、指定されたデータを不揮発性メモリ２０内の特定のアドレスに暗号化して書き込む働きをする。また、不揮発性メモリ２０内に暗号化されて格納されている上記画像生成に関わる情報を復号して読み出すため、復号化処理部２６と情報読み出し処理部２７が設けられる。
【００３９】
一方、デフォルト情報３０の記憶手段３１として、ＲＯＭ１２の記憶領域の一部が割り当てられる。この記憶手段３１に格納されるデフォルト情報３０は、不揮発性メモリ２０に格納されているトナー適合情報２１を用いた場合に比べ、画像品質のレベルにつき上記トナー適合情報２１を使用したときのような高い解像度は達成されないが、トナーの特性が不明であっても、一般のトナーを用いたときの通常の画像品質が保証されるというものであり、デフォルト情報３０は、そのような画像品質レベルが得られる画像生成情報である。従って、このデフォルト情報を使用すると、トナー適合情報２１を使用した場合よりも、プリンタの解像度が劣化してしまうことになる。かかる作用をするデフォルト情報３０は、ディザパターン、γ特性および色変換テーブルのうちの少なくとも一つの情報をパラメータとして変更することで、実現することができる。
【００４０】
しかし、プリンタの解像度が低くなるという結果だけで十分な場合は、中間調の生成を行う中間調レベル数（スクリーンの線数）を少なくすること、または中間調の生成を行わないことで、実現することができる。
【００４１】
上記ＲＯＭ１２は、さらにプログラムによるトナー無し検出部２８を含んでおり、ＣＰＵ１１はトナーカートリッジ１９内に設けたトナー検出センサ（図示せず）と共働して、トナー容器４７内のトナーが無くなった状態を検出する。そしてＲＯＭ１２には、不揮発性メモリ２０に格納されているトナー適合情報２１を消去するための消去処理部２９が含まれている。
【００４２】
上記不揮発性メモリ２０には、上記した画像形成に関わる情報の他に、画像形成に関わらない情報として、トナーカートリッジ１９の使用を開始した日時の情報（使用開始日時情報）２２も格納される。そして、この使用開始日時を確定するため、ＣＰＵ１１に接続されている時計ユニット１８が利用され、これから現在の日付と時刻を取得して利用する構成となっている。
【００４３】
次に、本実施形態の印刷システムにおける画像形成装置の動作を、図４、図５を参照しながら説明する。
【００４４】
図５は、本実施形態におけるプリンタ１の印刷処理の具体的手順を示すフローチャートである。図５のフローチャートに示すアルゴリズムは、プリンタ１のＲＯＭ１２に制御プログラムとして記憶されており、動作開始の際にＲＡＭ１３に読み出されてＣＰＵ１１によって実行される。なお、図４中で太線矢印は画像生成に関わる情報の流れを示す。
【００４５】
スタートは、このケースでは電源投入を意味する。装置の電源が投入されると、ＣＰＵ１１は、まずトナーカートリッジ１９がトナー無し状態になっていないことを確認する（Ｓ１０１）。これはトナー無し検出部２８からの信号をチェックすることにより行う。
【００４６】
トナー無し状態でないことが確認ができた場合（Ｓ１０１：ＮＯ）、正常系のルートとなりステップＳ１０５に進む。
【００４７】
トナー無し状態が検出される形態には、印刷処理によってトナーカートリッジ１９内のトナーが消費されてトナー無し状態になった場合と、トナーカートリッジ１９自体が装置本体にセットされていない場合、およびトナーカートリッジが純正品でなくトナー有無検知ができない場合の３形態がある。
【００４８】
トナーカートリッジ１９がトナー無し状態になっていた場合（Ｓ１０１：ＹＥＳ）、トナー無し検出部２８がこれを検出し、ＣＰＵ１１にその旨を通知する。ＣＰＵ１１は、これを受けて、ＲＯＭ１２内に格納された消去処理部２９に対して、トナーカートリッジ１９の不揮発性メモリ２０内に暗号化されて格納されているトナー適合情報２１を消去する旨の指示を発行する。これにより消去処理部２９が、不揮発性メモリ２０内のトナー適合情報２１を消去する（Ｓ１０２）。そして、トナー無し状態である旨のメッセージを操作パネル部１４に表示し（Ｓ１０３）、トナー無し状態が解除されるのを待つ（Ｓ１０４）。トナー無し状態が解除されれば（Ｓ１０４：ＹＥＳ）、正常系のルートに復帰し、ステップＳ１０５に進む。
【００４９】
ステップＳ１０５では、情報読み出し処理部２７を介して、トナーカートリッジ１９の不揮発性メモリ２０に暗号化されて格納されているトナー適合情報２１を、復号化処理部２６によって復号して読み出し（Ｓ１０５）、不揮発性メモリ２０にトナー適合情報２１が格納されているかどうかのチェックを実施する（Ｓ１０６）。
【００５０】
上記のトナー適合情報２１が正常に読み出せた場合（Ｓ１０６：ＹＥＳ）、ＣＰＵ１１は、読み出したトナー適合情報２１から、ディザパターン、γ特性およびＣＭＭ変換情報のうちの少なくとも一つに関する情報を、画像生成に関わる情報として取得し、画像生成に反映させる。
【００５１】
すなわち、Ｓ１０６の判断において、トナーカートリッジ１９の不揮発性メモリ２０に、トナー適合情報２１が格納されていると判断された場合（Ｓ１０６：ＹＥＳ）、ＣＰＵ１１は、続いてトナーカートリッジ１９の不揮発性メモリ２０に使用開始日時情報２２が格納されていることを確認する（Ｓ１０７）。確認ができた場合には、さらに使用開始日時情報２２と現在の日時との差が、トナーの有効期間に相当する一定値以内に納まっていることの確認を行う（Ｓ１０９）。これらの確認ができた場合（Ｓ１０７：ＹＥＳ、Ｓ１０９：ＹＥＳ）、不揮発性メモリ２０のトナー適合情報２１を読み出して使用し、このトナー適合情報に基づいた画像処理を画像データに施す（Ｓ１１２）。そして、この画像処理された画像データに従って画像生成処理を行い、印刷画像を形成する（Ｓ１１３）。
【００５２】
このため、不揮発性メモリ２０内に格納されているのがディザパターンに関する情報（以下、ディザパターン情報という）である場合には、本体装置出荷後にトナー製造プロセスが改良され、例えば小粒径化等の改良がなされたときでも、このトナーに適合するディザパターンの最適値に調整することが可能である。また格納されているのがγ特性に関する情報（以下、γ特性情報という）である場合には、本体装置出荷後にトナー製造プロセスが改良され、例えば小粒径化等によりトナーの特性が変わってしまったときでも、プリンタ１のγ特性をこれに適合する最適値に調整することが可能である。同様に、不揮発性メモリ内に格納されているのが色変換テーブルである場合には、本体装置出荷後にトナー製造プロセスが改良され、小粒径化等により色身が微妙に変わってしまった場合であっても、色変換テーブルを最適なものに調整することが可能である。
【００５３】
ところで、電源を投入した際にトナー適合情報が得られない場合として、次の３態様が考えられる。第１は、純正品のトナーカートリッジ１９がセットされているが、その不揮発性メモリ２０の内容が消去されている場合、第２はトナーカートリッジ１９自体が装置本体にセットされていない場合、第３はトナーカートリッジが純正品でなく不揮発性メモリを持たないか、不揮発性メモリを有していてもトナー適合情報が格納されていない場合である。
【００５４】
この例では、上記のトナー適合情報２１が正常に読み出せない場合を、Ｓ１０６において、不揮発性メモリ２０にトナー適合情報２１が格納されていないと判断する場合として扱っている（Ｓ１０６：ＮＯ）。このＳ１０６の判断において、不揮発性メモリ２０にトナー適合情報２１が格納されていないと判断された場合（Ｓ１０６：ＮＯ）、ＣＰＵ１１は、記憶手段３１に格納されているデフォルト情報３０を読み出し、これに基づき画像生成を実施する。
【００５５】
すなわち、トナー適合情報２１が正常に読み出せない旨の警告メッセージを操作パネル部１４に表示し（Ｓ１１０）、装置内のＲＯＭ１２に格納されているデフォルト情報３０を使用し、このデフォルト情報３０に基づいた画像処理を画像データに施す（Ｓ１１１）。そして、この画像処理された画像データに従って画像生成処理を行い、印刷画像を形成する（Ｓ１１３）。
【００５６】
上記デフォルト情報３０は、トナーカートリッジ１９のトナー適合情報２１と同じく画像生成に関わる情報であるが、トナーカートリッジ１９のトナー適合情報２１よりも低解像度となるような画像生成情報が採用されている。このため非純正品、例えば使用済みトナーユニットに対してトナーを詰めた所謂詰め替えトナーユニットが使用された場合には、カラー等の再現性が低くなる為、詰め替えトナーユニットに対する抑止効果が期待できる。
【００５７】
プログラムはステップＳ１０６からステップＳ１０７に進む。ステップＳ１０７においては、トナーカートリッジ１９の不揮発性メモリ２０に使用開始日時情報２２が格納されているかどうかのチェックを実施する（Ｓ１０７）。
【００５８】
上記使用開始日時情報２２を記憶するための不揮発性メモリ２０の領域は、工場出荷時には未書込きみの状態になっている。トナーカートリッジ１９がもし新品で工場出荷時のままである場合、情報読み出し処理部２７から、上記のトナーカートリッジ１９の使用開始日時情報２２は未書込である旨がＣＰＵ１１に伝えられる。
【００５９】
もしトナーカートリッジ１９の不揮発性メモリ２０に使用開始日時情報２２が格納されていない場合（Ｓ１０７：ＮＯ）、ＣＰＵ１１は、現在の時刻を内蔵の時計ユニット１８から現在の日時の情報を取得し、それを使用開始日時情報２２として扱い、トナーカートリッジ１９の不揮発性メモリ２０へ暗号化して書き込む（Ｓ１０８）。この書き込みは情報書き込み処理部２４から暗号化処理部２５を通し暗号化して行う。
【００６０】
次に、Ｓ１０７の判断において、トナーカートリッジ１９の不揮発性メモリ２０にすでに使用開始日時情報２２が書き込まれている場合（Ｓ１０７：ＹＥＳ）、ＣＰＵ１１は時計ユニット１８から「現在の日時」を読み出して、トナーカートリッジ１９の不揮発性メモリ２０から読み出したトナーカートリッジ１９の使用開始日時情報２２との比較を行なう。比較の結果、トナーカートリッジ１９の使用開始日時から一定の期間以上経過していると判断された場合、トナーカートリッジ１９内のトナーの経年劣化が予想されるため、ＣＰＵ１１は、ＲＯＭ１２内に格納されている上述のデフォルト情報３０を読み出し、これに基づき画像生成を実施する。
【００６１】
すなわち、上記の使用開始日時情報２２と現在の日時の差が、トナーの有効期間に相当する一定値以内に納まっているかどうかのチェックを行なう（Ｓ１０９）。もし使用開始日時情報２２と現在の時刻の差が、トナーの有効期間に相当する一定値以内に納まっていなければ（Ｓ１０９：ＮＯ）、その旨の警告メッセージを表示し（Ｓ１１０）、装置内に格納されている低解像度となるデフォルト情報３０を使用する（Ｓ１１１）。そして、このデフォルト情報３０に基づいて画像生成処理を実行する（Ｓ１１３）。これにより上述したデフォルトの低解像度による画像生成に移行する。
【００６２】
トナー無しの状態になる前のボトルに非純正のトナーを詰めたような詰め替えトナーユニットが使用された場合であっても、使用開始日時から一定の期間以上経過していると判断された場合には、デフォルト情報３０に基づく画像生成処理が実施され、粗い画像となってしまうので、そのような詰め替えトナーユニットの使用をある程度抑止できる効果がある。また、使用期限が切れて劣化したトナーを使用し続けていることをユーザーに報せ、トナーユニットの交換を促すことができるので、劣化トナーによるトラブルを回避することができる。
【００６３】
逆に、使用開始日時情報２２と現在の時刻の差が、トナーの有効期間に相当する一定値以内に納まっている場合（Ｓ１０９：ＹＥＳ）、正常なトナーカートリッジであると判断し、Ｓ１０５で読み出した値、つまりトナーカートリッジ１９の不揮発性メモリ２０に格納されていたトナー適合情報２１を使用し、このトナー適合情報２１に基づいた画像生成処理を実行する（Ｓ１１３）。
【００６４】
なお、再度画像生成処理が実施される場合には、既に得られたトナー適合情報２１またはデフォルト情報３０が使用される。また、ステップＳ１０１〜Ｓ１１２の処理は、電源投入時のみならず、所定の時点で適宜実行されてもよい。
【００６５】
例えば、上記実施形態においては、電源投入と同時にトナーカートリッジ１９がトナーの有無をチェックしているが（Ｓ１０１）、画像生成処理（Ｓ１１３）の終了後にチェックするようにしてもよい。この場合には、トナーが消費されて行き、トナーカートリッジ１９がトナー無し状態になったときに、不揮発性メモリ２０内のトナー適合情報２１を消去（Ｓ１０２参照）する。この消去処理によって、次回からは、ステップＳ１０６でトナー適合情報２１の読み出しが正常に行なわれなくなるので、ＣＰＵ１１は、ＲＯＭ１２内に格納されているデフォルト情報３０を読み出し、これに基づき画像生成を実施するようになる。
【００６６】
次に、上記トナー適合情報２１とデフォルト情報３０の具体例について説明する。
（１）ディザパターン情報
図６に、トナーカートリッジ１９の不揮発性メモリ２０にトナー適合情報２１として格納されるディザパターンテーブルの例を示す。指定された階調（％）が図の中の数値より大きい場合に対応する位置にドットを生成することを示す。図７はこのディザパターンテーブルに基づいて１０％の階調パターンを生成した例を、また図８は同様に２０％の階調パターンを生成した例を示している。このパターンは０％１００％まで１％刻みの階調パターンを生成することができる。
【００６７】
図９は装置内のＲＯＭ１２に格納されるデフォルト情報３０としてのディザパターンである。通常階調は連続になるはずであるが、トナーの特性が悪いとディザのパターンによってはリニアな階調再現性が得られず、グラデーション等で色むらが発生する場合がある。このため、トナーカートリッジ１９の不揮発性メモリ２０の情報が読み出せない状況下の場合には、図９のように階調を１０％刻みとし、階調再現性を図６のトナー適合情報２１の場合よりも下げて色むらが発生しないようにしている。
【００６８】
図１０はこのディザパターンテーブルに基づいて１０％の階調パターンを生成した例を、また図１１は同様に２０％の階調パターンを生成した例を示している。トナーの特性が悪いと微細なパターンが再現できないことがあるため、意図的にスクリーンの繰り返し周期（生成するドットの間隔）を２倍にしている。
（２）γ特性情報
図１２、図１３はレーザーの発光時間（単位ピクセル内でドットを生成した数）を横軸に、その際に実際のトナーの付着量（出力された画像の明るさの逆数）を縦軸に取ったグラフである。図１２は理想的な特性を示しているが、実際には図１３のように発光時間が短い領域では、トナー付着量が低く（明るい画像）なり、発光時間が長い領域ではトナー付着量が大きい（画像が暗くなる）傾向を示す。このカーブをプリンタ１のγ特性と呼んでいるが、そのカーブはトナーの性質に大きく依存する。
【００６９】
入力された値を変換して非線形性を逆補正し線形性とするためのテーブル（γ変換テーブル）の例を図１８に示す。本発明では、この図１８に相当する情報が、トナー適合情報２１として、トナーカートリッジ１９の不揮発性メモリ２０に格納される。図１８では、入力となる階調レベルの値（入力値）に対して、対応する発光時間量を８Ｂｉｔ（０２５５）の変換値として示している。
【００７０】
図１４は、図１８のトナー適合情報２１における入力値とγ変換値の関係をグラフにしたものである。γ変換後の値を基にレーザーの発光時間を決定すれば図１３のγ特性が逆補正され、図１２に示したリニアに近いγ特性を得ることができる。
【００７１】
もし、トナーカートリッジ１９の不揮発性メモリ２０からトナー適合情報２１としてγ変換テーブルの値が読み出せなかった場合、装置は、トナーの特性が不明な状況であるため、装置内のＲＯＭ１２に格納されているデフォルト情報３０のγ変換テーブルを使用することになる。
【００７２】
この場合、仮にデフォルト情報３０として図１５のようなリニアな特性を使用すると、実際にはトナーは図１３のようなγ特性を持っているのが一般的であるため、ハイライト部分は色が飛んでしまい、色の濃い部分は画像がつぶれてしまうという問題が生じる。
【００７３】
このためデフォルト情報３０として、図１６のような特性のγ変換テーブルを用いる。図１９に、図１６に相当するγ変換テーブルの例を示す。図１６の特性では、全体として図１４のような曲線を直線で近似している。直線で近似するのは、万が一トナーの特性とγテーブルの特性が合わなかった場合、グラデーション部分に色むら（最悪は濃度の逆転現象）が発生するのを防ぐためである。直線で近似することで、近傍の階調レベルが同一の値に変換される。これによって階調表現性は落ちるが、色むらの発生を押さえることができる。
（３）色変換テーブル
カラーマネージメント処理に３Ｄ−ＬＵＴ（三次元ルックアップテーブル：３ＤｉｍｅｎｓｉｏｎＬｏｏｋＵｐＴａｂｌｅ）方式を使用し、ＲＧＢ入力に対してＹＭＣＫの各色の出力レベルを決定する色変換テーブルをトナー適合情報２１とする例について述べる。
【００７４】
図１７に、このトナー適合情報２１として用いる３Ｄ−ＬＵＴの概念図を示す。３次元空間で、ｘ軸方向、ｙ軸方向、ｚ軸方向がそれぞれＲＧＢの各入力レベルに対応している。そして一致した格子点の座標に対応するテーブルの値を参照し、その情報が色変換結果として出力される。実際には中間の座標値が入力された場合に補完処理を行なっている。このような３次元のテーブルをＹＭＣＫの各色に対応して合計４個持つことにより、入力されるＲＧＢに対応したＹＭＣＫの出力値を決定することができる。図１７の場合、１色あたり１０個の座標点を取っているので、交点の数（テーブルのサイズ）は１０×１０×１０＝１０００になり、実際のルックアップテーブルのサイズは１０００Ｂｙｔｅになる。
【００７５】
各色のトナーカートリッジ１９は、自分の色用の上記３Ｄ−ＬＵＴを、バイナリ形式で内部の不揮発性メモリ２０内に持っている。
【００７６】
プリンタ１は上記のバイナリ形式の３Ｄ−ＬＵＴデータをトナー適合情報２１として読み出し、読み出した３Ｄ−ＬＵＴテーブルに基づいて色変換処理を行ない、これによりトナーの特性に最適な色変換処理を実行する。
【００７７】
トナーカートリッジ１９から上記の３Ｄ−ＬＵＴの情報が読み出せなかった場合、ＲＧＢからＣＭＹＫへの変換は、デフォルト情報３０として単純に下記の変換式（補色変換）を使用する。ただし、このような単純な変換を実行した場合、トナーの特性が十分に反映されないため、最終的に希望の色が得られない場合がある。
【００７８】
Ｋ＝  ｍｉｎ（１−Ｒ，１−Ｇ，１−Ｂ）
Ｙ＝  （１−Ｂ−Ｋ）÷（１−Ｋ）
Ｍ＝  （１−Ｇ−Ｋ）÷（１−Ｋ）
Ｃ＝  （１−Ｒ−Ｋ）÷（１−Ｋ）
上記実施形態によれば、画像形成装置が製品として市場に出た後において、製造プロセスの改善等で、トナーの小粒径化等のトナー特性の向上がなされた場合であっても、不揮発性メモリ２０に格納してあるトナー適合情報２１を変更することで、そのトナー特性にマッチした最適な画像の生成を、常に当該画像形成装置において行うことが可能になる。
【００７９】
本発明は、トナーボトル、トナーカートリッジ等のトナーユニットの形を問わず、またモノクロプリンタ、カラープリンタ等の種類を問わず、装置を市場に出した後でトナー特性の改善がなされた場合に、このトナー特性を発揮させて高品質の画像を得ようとする画像形成装置のすべてに適用可能である。
【００８０】
本発明は、上述した実施形態のみに限定されるものではなく、特許請求の範囲内において、種々改変することができる。
【００８１】
本発明は、一般にプリンタに適用されるが、例えば複写機、ファクシミリ、多機能周辺機器（ＦＭＰ：Ｍｕｌｔｉ−Ｆｕｎｃｔｉｏｎ  Ｐｅｒｉｐｈｅｒａｌ）等の他の画像形成装置にも適用可能である。
【００８２】
また本実施形態の画像形成装置における各種処理を行う手段および方法は、専用のハードウエア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって適用されてもよいし、インターネットなどのネットワークを介してオンラインで提供されてもよい。この場合、コンピュータ読み取り可能な記録媒体に記録されたプログラムは、通常、ハードディスクなどの記憶部に転送されて記憶される。また、上記プログラムは、単独のアプリケーションソフトとして提供されもよいし、装置の一機能としてその装置のソフトウエアに組み込まれてもよい。
【図面の簡単な説明】
【００８３】
【図１】本発明の画像形成装置としてのプリンタを備えた印刷システムの全体構成を示すブロック図である。
【図２】本発明のプリンタの構成を示すブロック図である。
【図３】本発明のプリンタにおける印刷部の構成を示す概略図である。
【図４】本発明のプリンタの画像処理の機能部分を示すブロック図である。
【図５】本発明のプリンタの画像処理の手順を示すフローチャートである。
【図６】本発明のプリンタにおいてトナーカートリッジにトナー適合情報として格納されるディザパターンテーブルを例示した図である。
【図７】図６のディザパターンテーブルに基づいた１０％の階調パターンを示した図である。
【図８】図６のディザパターンテーブルに基づいた２０％の階調パターンを示した図である。
【図９】本発明のプリンタにおいてＲＯＭに格納されるデフォルト情報としてのディザパターンを例示した図である。
【図１０】図９のディザパターンテーブルに基づいた１０％の階調パターンを示した図である。
【図１１】図９のディザパターンテーブルに基づいた２０％の階調パターンを示した図である。
【図１２】レーザーの発光時間とトナーの付着量との関係を示した理想的なγ特性のグラフである。
【図１３】レーザーの発光時間とトナーの付着量との関係を示した実際のγ特性のグラフである。
【図１４】図１８のトナー適合情報における入力値とγ変換値の関係を示したグラフである。
【図１５】図１４のトナー適合情報における入力値とγ変換値の関係がリニアな特性を示したグラフである。
【図１６】本発明のプリンタにおいて画像処理のデフォルト情報として記憶させるγ変換特性を例示した図である。
【図１７】本発明のプリンタにおいて画像処理のデフォルト情報として記憶させる３Ｄ−ＬＵＴの概念図である。
【図１８】本発明のプリンタにおいてトナー適合情報として不揮発性メモリに格納されるγ変換テーブルを示した図である。
【図１９】本発明のプリンタにおいて画像処理のデフォルト情報として記憶させる図１６に対応するγ変換テーブルを例示した図である。
【符号の説明】
【００８４】
１    プリンタ、
２    ＰＣ、
３    ネットワーク、
１１    ＣＰＵ、
１２    ＲＯＭ、
１３    ＲＡＭ、
１４    操作パネル部、
１５    印刷部、
１６    ネットワークインタフェース、
１７    バス、
１８    時計ユニット、
１９    トナーカートリッジ、
２０    不揮発性メモリ、
２１    トナー適合情報、
２２    使用開始日時情報、
２４    情報書き込み処理部、
２５    暗号化処理部、
２６    復号化処理部、
２７    情報読み出し処理部、
２８    トナー無し検出部、
２９    消去処理部、
３０    デフォルト情報、
３１    記憶手段、
４１    感光体ドラム、
４２    帯電装置、
４３    露光装置、
４４    現像装置、
４５    中間転写ベルト、
４６    清掃装置、
４７    トナー容器、
４８    現像ローラ、
４９    第１の転写部、
５０    給紙カセット、
５１    給紙ローラ、
５２    転写紙、
５３    第２の転写部、
５４    定着装置。
【図１】
2008105233.tif 000003
【図２】
2008105233.tif 000004
【図３】
2008105233.tif 000005
【図４】
2008105233.tif 000006
【図５】
2008105233.tif 000007
【図６】
2008105233.tif 000008
【図７】
2008105233.tif 000009
【図８】
2008105233.tif 000010
【図９】
2008105233.tif 000011
【図１０】
2008105233.tif 000012
【図１１】
2008105233.tif 000013
【図１２】
2008105233.tif 000014
【図１３】
2008105233.tif 000015
【図１４】
2008105233.tif 000016
【図１５】
2008105233.tif 000017
【図１６】
2008105233.tif 000018
【図１７】
2008105233.tif 000019
【図１８】
2008105233.tif 000020
【図１９】
2008105233.tif 000021